(57)【要約】【課題】結納品を収納可能とした結納品収納箱であって、結納の際に三方の代わりとして使用可能とした結納品収納箱において、安定性が高く、しかも美観的に優れた結納品収納箱を提供する。【解決手段】上部を開口した箱状の収納本体と、この収納本体の開口部分に嵌着して収納本体を閉塞する蓋体とからなる結納品収納箱において、蓋体を収納本体の開口部分に嵌着させた状態で、蓋体の上面と収納本体の前側面とを少なくとも被覆する長さとした毛氈を蓋体の内側面に貼着した結納品収納箱とする。さらに、蓋体の内側面には毛氈の収納に用いる係止手段を設け、この係止手段によって毛氈を、蓋体の内側面部分において折り畳んだ状態で垂れ下がり状に係止するように構成する。【選択図】図１
2006149604.tif 000002
【特許請求の範囲】
【請求項１】
上部を開口した箱状の収納本体と、この収納本体の開口部分に嵌着して前記収納本体を閉塞する蓋体とからなる結納品収納箱において、
前記蓋体を前記収納本体の開口部分に嵌着させた状態で、前記蓋体の上面と前記収納本体の前側面とを少なくとも被覆する長さとした毛氈を前記蓋体の内側面に貼着したことを特徴とする結納品収納箱。
【請求項２】
前記蓋体の内側面には前記毛氈の収納に用いる係止手段を設け、
この係止手段によって前記毛氈を、前記蓋体の内側面部分において折り畳んだ状態で垂れ下がり状に係止するように構成したことを特徴とする請求項１記載の結納品収納箱。
【請求項３】
前記係止手段は、一方の端部を前記蓋体の内側面にそれぞれ貼着した第１の係止用紐体と第２の係止用紐体であって、前記第１の係止用紐体と前記第２の係止用紐体の端部を互いに結い合わせて前記毛氈を係止するように構成したことを特徴とする請求項２記載の結納品収納箱。
【請求項４】
前記第１の係止用紐体及び前記第２の係止用紐体には、それぞれ結い合わせ位置の目印を設けたことを特徴とする請求項３記載の結納品収納箱。
【発明の詳細な説明】
【技術分野】
【０００１】
本発明は、結納に用いる結納品及び毛氈を収納した結納品収納箱に関するものである。
【背景技術】
【０００２】
昨今、結納に用いる結納品の販売にあたって、必要な各結納品を１セットとして所要サイズの箱内に収納した結納品収納箱が知られている。
【０００３】
特に、結納品収納箱には敷物となる緋色の毛氈も収納し、結納品収納箱から結納品及び毛氈を取り出した後、結納品収納箱を三方の代替とした載置台とし、結納品収納箱の上面に毛氈を敷設して、この毛氈上の所定位置に各結納品を載置するようにしている。
【０００４】
このような結納品収納箱において、結納品収納箱内に毛氈を単に収容しているのではなく、略矩形形状とした毛氈の一端を結納品収納箱に貼着しているものが知られている。
【０００５】
すなわち、結納品収納箱は、上部を開口した箱状の収納本体と、この収納本体の開口部分に嵌着して収納本体を閉塞する蓋体とで構成し、収納本体に設けた矩形状開口の開口端縁近傍に、矩形状とした毛氈の一側端を矩形状開口の開口端縁に沿って貼着しているものである。
【０００６】
さらに、蓋体の内側面側には毛氈と同一生地の毛氈を貼着しており、結納品収納箱を開けて収納本体内から各結納品を取り出すとともに、収納本体に貼着した毛氈を収納本体から引き出して収納本体の前側面に引き延ばしながら敷設し、蓋体を引っ繰り返して収納本体上に載置することにより結納品収納箱に毛氈を敷設したように見えるようにしている。
【０００７】
そして、引っ繰り返した蓋体上に各結納品を載置して用いている（例えば、特許文献１参照。）。
【特許文献１】実用新案登録第３０２５２５０号公報
【発明の開示】
【発明が解決しようとする課題】
【０００８】
しかしながら、蓋体を引っ繰り返して収納本体上に載置して使用した場合には、収納本体に対して蓋体が変位しやすく、安定性に欠けるという問題があった。
【０００９】
しかも、蓋体には収納本体に嵌着させるために外周縁に沿って矩形枠状の突出壁を突設していることによって、蓋体を引っ繰り返して収納本体上に載置した場合には突出壁が目に付きやすく、外観を損なっているという問題があった。
【課題を解決するための手段】
【００１０】
そこで、本発明の結納品収納箱では、上部を開口した箱状の収納本体と、この収納本体の開口部分に嵌着して収納本体を閉塞する蓋体とからなる結納品収納箱において、蓋体を収納本体の開口部分に嵌着させた状態で、蓋体の上面と収納本体の前側面とを少なくとも被覆する長さとした毛氈を蓋体の内側面に貼着した。
【００１１】
さらに、以下の点にも特徴を有するものである。すなわち、
（１）蓋体の内側面には毛氈の収納に用いる係止手段を設け、この係止手段によって毛氈を、蓋体の内側面部分において折り畳んだ状態で垂れ下がり状に係止するように構成したこと。
（２）係止手段は、一方の端部を蓋体の内側面にそれぞれ貼着した第１の係止用紐体と第２の係止用紐体であって、第１の係止用紐体と第２の係止用紐体の端部を互いに結い合わせて毛氈を係止するように構成したこと。
（３）第１の係止用紐体及び第２の係止用紐体には、それぞれ結い合わせ位置の目印を設けたこと。
【発明の効果】
【００１２】
請求項１記載の発明によれば、上部を開口した箱状の収納本体と、この収納本体の開口部分に嵌着して収納本体を閉塞する蓋体とからなる結納品収納箱において、蓋体を収納本体の開口部分に嵌着させた状態で、蓋体の上面と収納本体の前側面とを少なくとも被覆する長さとした毛氈を蓋体の内側面に貼着したことによって、毛氈を引き出した状態で蓋体を収納本体に嵌着し、引き出した毛氈で蓋体の上面を被覆するとともに収納本体の前側面を被覆することにより、蓋体を収納本体上部に安定的に固定した状態で毛氈を敷設することができる。しかも、蓋体は毛氈によって完全に被覆されることにより外観を向上させることができる。さらに、毛氈は一端を蓋体に貼着して固定していることにより、毛氈が結納品収納箱からずれることを防止できる。
【００１３】
請求項２記載の発明によれば、請求項１記載の結納品収納箱において、蓋体の内側面には毛氈の収納に用いる係止手段を設け、この係止手段によって毛氈を、蓋体の内側面部分において折り畳んだ状態で垂れ下がり状に係止するように構成したことによって、結納品収納箱内に結納品を収納して搬送する際には、垂れ下がり状となった毛氈を緩衝材として機能させることができる。したがって変形しやすい結納品を保護することができ、結納品収納箱内に緩衝材を収納する必要がなく、低コスト化を図ることができる。そのうえ、毛氈にシワが形成されることを防止でき、シワがなく、美観の優れた毛氈を提供できる。
【００１４】
請求項３記載の発明によれば、請求項２記載の結納品収納箱において、係止手段は、一方の端部を蓋体の内側面にそれぞれ貼着した第１の係止用紐体と第２の係止用紐体であって、第１の係止用紐体と第２の係止用紐体の端部を互いに結い合わせて毛氈を係止するように構成したことによって、低コストで確実な係止手段とすることができる。
【００１５】
請求項４記載の発明によれば、請求項３記載の結納品収納箱において、第１の係止用紐体及び第２の係止用紐体には、それぞれ結い合わせ位置の目印を設けたことによって、係止手段で係止された毛氈が緩衝材として適正に機能する状態に容易に調整できる。
【発明を実施するための最良の形態】
【００１６】
本発明の結納品収納箱は、上部を開口した箱状であって１セットの結納品を収納可能とした収納本体と、この収納本体の開口部分に嵌着して収納本体を閉塞する蓋体とからなる結納品収納箱であって、この結納品収納箱自体を三方の代わりに使用するために用いる毛氈の一端を蓋体の内側面に貼着し、収納本体の上部に蓋体を嵌着させた状態で毛氈を引き出せるようにしている。
【００１７】
特に、毛氈は蓋体の上面と収納本体の前側面とを少なくとも被覆する長さとし、毛氈を引き出した状態で蓋体を収納本体に嵌着して、引き出した毛氈で蓋体の上面を被覆するとともに収納本体の前側面を被覆するようにしているものである。
【００１８】
このように毛氈の一端を蓋体に貼着していることによって、結納品収納箱から引き出した毛氈で蓋体の上面を被覆するとともに収納本体の前側面を被覆した場合に、毛氈をずれにくくすることができる。
【００１９】
特に、蓋体は収納本体上部に嵌着していることにより、蓋体だけが収納本体上部からずれることを防止でき、しかも、蓋体は毛氈によって完全に被覆されることにより外観を向上させることができる。
【００２０】
一端を蓋体の内側面に貼着した毛氈は、係止手段を介して蓋体の内側面部分において折り畳んだ状態で垂れ下がり状に係止して収納するようにしている。
【００２１】
したがって、結納品収納箱内に結納品を収納して搬送する場合などにおいては、垂れ下がり状となった毛氈を緩衝材として機能させることができるので、傷つきやすい結納品や、変形しやすい結納品を保護することができ、結納品収納箱内に結納品とともに挿入する緩衝材の使用量を低減して低コスト化を図ることができる。
【００２２】
しかも、毛氈にシワが形成されることを防止できるので、シワがなく、美観の優れた毛氈を提供できる。
【００２３】
毛氈を係止する係止手段は、一方の端部を蓋体の内側面にそれぞれ貼着した第１の係止用紐体と第２の係止用紐体とし、第１の係止用紐体と第２の係止用紐体の端部を互いに結い合わせて毛氈を係止するように構成した場合には、低コストで確実な係止手段とすることができる。
【００２４】
しかも、第１の係止用紐体及び第２の係止用紐体には、それぞれ結い合わせ位置の目印を設けておくことにより、係止手段で係止された毛氈が緩衝材として適正に機能する状態に容易に調整できる。
【００２５】
以下において、図面に基づいて本発明の実施形態を詳説する。図１は、本実施形態の結納品収納箱の概略説明図である。
【００２６】
結納品収納箱は、図１に示すように、上部を開口した箱状であって１セットの結納品を収納可能とした収納本体10と、この収納本体10の開口部分に嵌着して収納本体10を閉塞する蓋体20とで構成している。そして、蓋体20の内側面には所定長さの毛氈30の一端を貼着している。
【００２７】
本実施形態では、収納本体10は長辺と短辺を有する直方体状としており、蓋体20は収納本体10の開口部分を閉塞する長方形状の天板25と、この天板25の長辺に沿って立設させた第１壁体21と第２壁体22、さらに天板25の短辺に沿って立設させた第３壁体23と第４壁体24とで構成し、蓋体20の第１〜４壁体21,22,23,24を収納本体10の側壁の外側面にそれぞれ当接させながら蓋体20を収納本体10に外嵌させるようにしている。
【００２８】
そして、毛氈30は、天板25の第３壁体23と第４壁体24との間の間隔寸法を略一致させた幅寸法で、少なくとも天板25の第１壁体21と第２壁体22との間の間隔寸法と、収納本体10の高さ寸法と、毛氈30の蓋体20内側面への貼着代寸法とを加算した最低寸法以上とした長さ寸法を有するようにしており、特に、見栄え上、毛氈30の長さ寸法としては、前記最低寸法に天板25の第１壁体21と第２壁体22との間の間隔寸法をさらに加えた寸法としている。
【００２９】
蓋体20の内側面には、蓋体20の内側面に沿わせて折り畳んだ毛氈30を繋縛することによって係止する係止手段としての係止具26を複数設けている。本実施形態では、蓋体20の内側面には、２つの係止具26を設けており、それぞれ第１係止用紐体26a（図２参照）と第２係止用紐体26bとで構成している。
【００３０】
第１係止用紐体26a及び第２係止用紐体26bは、一方の端部を蓋体20の内側面、すなわち天板25の裏面にそれぞれ貼着し、図３に示すように、第１係止用紐体26aと第２係止用紐体26bの端部を互いに結い合わせるようにしている。なお、第１係止用紐体26aと第２係止用紐体26bの端部を互いに結い合わせるのではなく、面ファスナーなどを用いて着脱自在としてもよい。
【００３１】
さらに、本実施形態では、図２に示すように、第１係止用紐体26a及び第２係止用紐体26bの天板25への貼着側の端部とは反対側に所定長さの着色領域Ｒをそれぞれ設けている。
【００３２】
この着色領域Ｒは、図３に示すように、第１係止用紐体26aと第２係止用紐体26bとを互いに結い合わせる場合の目印として設けているものであって、着色領域Ｒの境界部分で第１係止用紐体26aと第２係止用紐体26bとを互いに結い合わせることにより、結い合わされた第１係止用紐体26aと第２係止用紐体26bとが所定長さとなるようにしている。
【００３３】
この所定長さとは、蓋体20の内側面において毛氈30を適宜に折り畳んで第１係止用紐体26aと第２係止用紐体26bの端部を互いに結い合わせた蓋体20を収納本体10に嵌着する場合に、図４に示すように、毛氈30が自重で垂れ下がる垂れ下がり量を決定しているものである。
【００３４】
このように、係止手段である係止具26によって毛氈30を垂れ下がり状に支持することによって、結納品収納箱内で垂れ下がった毛氈30を緩衝材として機能させることができ、結納品収納箱内の変形しやすい結納品を保護できるので、結納品収納箱内に挿入する緩衝材を削減でき、低コスト化を図ることができる。
【００３５】
しかも、毛氈30は、係止具26によって垂れ下がり状に支持されているのでシワが入りにくく、シワのない美観の優れた毛氈30を提供可能とすることができる。
【００３６】
さらに、第１係止用紐体26aと第２係止用紐体26bとからなる係止具26で毛氈30を垂れ下がり状に係止することによって、低コストで確実な係止手段とすることができ、そのうえ、第１係止用紐体26a及び第２係止用紐体26bには、それぞれ結い合わせ位置の目印を設けたことによって、係止手段で係止された毛氈30が緩衝材として適正に機能する状態に容易に調整できる。
【００３７】
このように構成した結納品収納箱内には複数種類の結納品を収容しており、結納の際には、まず、結納品収納箱の蓋体20を取り外して収納本体10内の結納品を取り出す。
【００３８】
ついで、蓋体20の裏面において結い合わされている第１係止用紐体26aと第２係止用紐体26bとを解いて毛氈30を引き出し、図５に示すように、引き出した毛氈30で蓋体20を巻き包むようにする。
【００３９】
そして、毛氈30によって上面が被覆された蓋体20を収納本体10の開口部分に嵌着させて、図６に示すように、毛氈30で収納本体10の前側面を被覆して、毛氈30が敷設された疑似三方を形成するようにしている。
【００４０】
このように結納品収納箱で構成した疑似三方上に、収納本体10内から取り出した結納品を適宜配置して、結納に用いるようにしている。
【００４１】
蓋体20は、収納本体10の開口部分に嵌着させていることにより、収納本体10に対してずれることがなく安定性を向上させることができ、しかも、毛氈30が結納品収納箱の上面及び前側面を一体的に被覆していることによって美観を向上させることができる。しかも、毛氈30は、一端を蓋体20に貼着していることによって、結納品収納箱に対してずれを生じるおそれを解消することができる。
【図面の簡単な説明】
【００４２】
【図１】本発明に係る結納品収納箱の説明図である。
【図２】本発明に係る結納品収納箱の説明図である。
【図３】本発明に係る結納品収納箱の説明図である。
【図４】本発明に係る結納品収納箱の説明図である。
【図５】本発明に係る結納品収納箱の蓋体の説明図である。
【図６】本発明に係る結納品収納箱の説明図である。
【図７】本発明に係る結納品収納箱の説明図である。
【符号の説明】
【００４３】
10  収納本体
20  蓋体
30  毛氈
25  天板
21  第１壁体
22  第２壁体
23  第３壁体
24  第４壁体
26  係止具
26a 第１係止用紐体
26b 第２係止用紐体
Ｒ  着色領域
【図１】
2006149604.tif 000003
【図２】
2006149604.tif 000004
【図３】
2006149604.tif 000005
【図４】
2006149604.tif 000006
【図５】
2006149604.tif 000007
【図６】
2006149604.tif 000008
【図７】
2006149604.tif 000009